(57)【特許請求の範囲】
【請求項１】
床面上に、左右に離間して平行に立設されたパネル体の各対向面に支持ブラケットを取付け、この左右の支持ブラケットを介して、両パネル体間に天板を架設してなるワークステーション装置において、
パネル体の対向面に前後方向の係止溝を設け、この係止溝を用いて支持ブラケットをパネル体に取付けるとともに、この支持ブラケットの前方位置に案内部材を配設し、この案内部材を、その前端から後方に向うにしたがって、漸次、前記パネル体の対向面から離間する傾斜面または弧状面を備えるものとし、この傾斜面または弧状面におけるパネル体の対向面からの最大離間寸法を、前記支持ブラケットにおけるパネル体への取付部がパネル体の対向面から左右方向の内方に向けて突出する寸法以上の大きさとしたことを特徴とするワークステーション装置。
【請求項２】
パネル体の係合溝内に配設したねじ座に、支持ブラケットの内面から左右方向の外方に向けて、支持ブラケットに設けた挿通孔を挿通させた取付ねじを螺合することによって、前記係止溝の開口縁部に設けられた上下方向の内向き突縁を、ねじ座と支持ブラケットにより挟持することにより、パネル体の対向面に支持ブラケットを取付けるとともに、案内部材の傾斜面または弧状面におけるパネル体の対向面からの最大離間寸法を、支持ブラケットにおけるパネル体への取付部がパネル体の対向面から左右方向の内方に向けて突出する寸法と、前記取付ねじの頭部が支持ブラケットの内面から左右方向の内方に向けて突出する寸法との和以上の大きさとした請求項１記載のワークステーション装置。
【請求項３】
案内部材を、支持ブラケットの前端に取付けた請求項１または２記載のワークステーション装置。
【請求項４】
案内部材を、支持ブラケットの前方に離間してパネル体の係止溝に取付けた請求項１または２記載のワークステーション装置。
【請求項５】
案内部材を、平面視ほぼ楔状または左右方向の内向きの外輪部が緩やかなほぼ弧状をなす形状のものとした請求項１〜４のいずれかに記載のワークステーション装置。
【発明の詳細な説明】
【技術分野】
【０００１】
本発明は、例えばオフィス等の執務空間にて使用される間仕切装置に、天板を支持させることにより、作業空間を形成するようにしたワークステーション装置に関する。
【背景技術】
【０００２】
従来のワークステーション装置においては、床面上に、左右に離間して配設したローパーティションなどの間仕切用パネル（以下、パネル体という）の各対向面間に天板を架設し支持することによって、机、作業台または棚板等の作業空間が提供されるように形成したものが周知となっている。
【０００３】
このような従来のワークステーション装置における天板の支持構造は、パネル体の左右端部に、上下方向に向かって複数の係止孔を連設するとともに、これら係止孔に、支持ブラケットの後端部に設けた係止爪を係止させて、天板の左右の下面を支持ブラケットにより支持しうるような構成を有する（特許文献１，２参照）。
【０００４】
しかし、特許文献１，２に記載の天板の支持構造では、天板とパネル体とを簡易的な取付操作によって確実に支持させることができる反面、支持ブラケットの取付位置が、パネル体の端部に連設した係止孔の穿設位置に限られてしまうため、天板の取付位置における自由度が低くなる。
【０００５】
また従来、天板を支持ブラケットによって支持する場合に、パネル体の前面に左右方向を向く係止溝を設けるとともに、この係止溝に、支持ブラケットを係止し固定することにより、天板の左右の下面を、支持ブラケットによって支持するようにした構造を有するものが周知である。(特許文献３参照)。
【０００６】
特許文献３に記載の天板の支持構造では、パネル体に対する支持ブラケットの取付位置を左右に変更することができるため、天板の取付位置を左右に自由に変更することができるという効果を奏する。
【０００７】
また、オフィスの作業空間では、書類などを格納したワゴンを、ワークステーション装置に併設して使用する場合があるが、ワゴンの併設によって作業空間が狭くなるため、ワークステーションにおける天板の下方空間を、ワゴンの設置場所に利用することが多い。
【０００８】
しかし、前記した特許文献１〜３に記載のものでは、天板の下方空間にワゴンを収容する場合に、ワゴンがパネル体に取付けた天板の支持ブラケットに衝突することがあり、ワゴンを円滑に出し入れできないばかりでなく、支持ブラケットまたはワゴンのいずれかを損傷または破損させるというという問題があった。
【先行技術文献】
【特許文献】
【０００９】
【特許文献１】特開２００３−２７５０４７号公報
【特許文献２】特開平１０−０７７７０７号公報
【特許文献３】特開２００７−１３００９９号公報
【発明の概要】
【発明が解決しようとする課題】
【００１０】
本発明は、前記の現状に鑑み、天板下方の空間にワゴン等を収容する場合においても、ワゴン等がパネル体に取付けた天板の支持ブラケットに衝突するのを防止しうるようにし、支持ブラケットまたはワゴン等を損傷または破損させることなく、ワゴン等を円滑に出し入れすることができるようにしたワークステーション装置を提供することを目的とする。
【課題を解決するための手段】
【００１１】
上記課題は、「特許請求の範囲」の欄における各請求項に記載するように、次のような構成からなる発明によって解決される。
（１）  床面上に、左右に離間して平行に立設されたパネル体の各対向面に支持ブラケットを取付け、この左右の支持ブラケットを介して、両パネル体間に天板を架設してなるワークステーション装置において、パネル体の対向面に前後方向の係止溝を設け、この係止溝を用いて支持ブラケットをパネル体に取付けるとともに、この支持ブラケットの前方位置に案内部材を配設し、この案内部材を、その前端から後方に向うにしたがって、漸次、前記パネル体の対向面から離間する傾斜面または弧状面を備えるものとし、この傾斜面または弧状面におけるパネル体の対向面からの最大離間寸法を、前記支持ブラケットにおけるパネル体への取付部がパネル体の対向面から左右方向の内方に向けて突出する寸法以上の大きさとする。
【００１２】
（２）  上記（１）項において、パネル体の係合溝内に配設したねじ座に、支持ブラケットの内面から左右方向の外方に向けて、支持ブラケットに設けた挿通孔を挿通させた取付ねじを螺合することによって、前記係止溝の開口縁部に設けられた上下方向の内向き突縁を、ねじ座と支持ブラケットにより挟持することにより、パネル体の対向面に支持ブラケットを取付けるとともに、案内部材の傾斜面または弧状面におけるパネル体の対向面からの最大離間寸法を、支持ブラケットにおけるパネル体への取付部がパネル体の対向面から左右方向の内方に向けて突出する寸法と、前記取付ねじの頭部が支持ブラケットの内面から左右方向の内方に向けて突出する寸法との和以上の大きさとする。
【００１３】
（３）  上記（１）項または（２）項において、案内部材を、支持ブラケットの前端に取付ける。
【００１４】
（４）  上記（１）項または（２）項において、案内部材を、支持ブラケットの前方に離間してパネル体の係止溝に取付ける。
【００１５】
（５）  上記（１）〜（４）項のいずれかにおいて、案内部材を、平面視ほぼ楔状または左右方向の内向きの外輪部が緩やかなほぼ弧状をなす形状のものとする。
【発明の効果】
【００１６】
本発明によると、次のような効果を奏することができる。
(１)  請求項１記載の発明によると、ワークステーションにおける天板の下方空間に、ワゴンを収容する場合に、ワゴンが、案内部材の傾斜面または弧状面によって、パネル体に取付けた天板の支持ブラケットから離間する方向に案内され、支持ブラケットとの衝突を回避することができるため、ワークステーションにおける天板の下方空間にワゴンを円滑に出し入れすることができるとともに、支持ブラケットまたはワゴンのいずれかを損傷または破損させることがない。
【００１７】
(２)  請求項２記載の発明によると、案内部材の傾斜面または弧状面におけるパネル体の対向面からの最大離間寸法を、支持ブラケットにおけるパネル体への取付部がパネル体の対向面から左右方向の内方に向けて突出する寸法と、取付ねじの頭部が支持ブラケットの内面から左右方向の内方に向けて突出する寸法との和以上の大きさとしてあるため、ワークステーションにおける天板の下方空間にワゴンを出入れする場合に、ワゴンが取付ねじの頭部に衝突することがなく、ワゴンを円滑に出し入れすることができる。
【００１８】
(３)  請求項３記載の発明によると、案内部材を、支持ブラケットの前端に取付けてあるため、案内部材を取付けるための加工をパネル体の対向面に新たに施す必要がなく、加工工数を削減することができる。
【００１９】
(４)  請求項４記載の発明によると、案内部材を、支持ブラケットの前方に離間してパネル体の係止溝に取付けてあるため、前記（３）項と同様な効果を得ることができる。
【００２０】
(５)  請求項５記載の発明によると、案内部材を、平面視ほぼ楔状または左右方向の内向きの外輪部が緩やかなほぼ弧状をなす形状のものとしてあるため、ワークステーションにおける天板の下方空間にワゴンを出入れする場合に、ワゴンを円滑に案内することができる。
発明の具体的な内容は、次の通りである。
【図面の簡単な説明】
【００２１】
【図１】本発明における第１実施形態のワークステーション装置を示し、左右のパネル体間に架設される天板の支持状態を下方から見上げた状態の示す斜視図である。（実施例１）
【図２】支持ブラケットによるパネル体と天板及び案内部材の組付状態を示す分解斜視図である。
【図３】図１におけるIII−III線の要部拡大横断平面図である。
【図４】図１におけるIV−IV線の要部拡大縦断面図である。
【図５】図１の円Ｖ部分における案内部材の組付状態を拡大して示す要部横断平面図である。
【図６】本発明における第２実施形態の案内部材を用いた要部拡大横断平面図である。（実施例２）
【図７】同じく、支持ブラケットによるパネル体と天板及び案内部材の組付状態を示す分解斜視図である。
【発明を実施するための形態】
【００２２】
以下、本発明の実施形態を、図面に基づいて説明する。
図１は、本発明における第１実施形態のワークステーション装置を示し、左右のパネル体間に架設される天板の支持状態を下方から見上げた状態の示す斜視図、図２は、支持ブラケットによるパネル体と天板及び案内材の組付状態を示す分解斜視図、図３は、図１におけるIII−III線の要部拡大横断平面図、図４は、図１の円IV部分における案内部材の組付状態を拡大して示す要部横断平面図、図５は、図１におけるＶ−Ｖ線の要部拡大縦断面図である。
【実施例１】
【００２３】
図１に示すように、本発明のワークステーション装置１は、床面上に、左右に離間して平行に立設されたパネル体、例えばオフィス等の執務空間にて使用される間仕切装置を構成する間仕切パネル２，２の各対向面２ａに、前後方向に延びる支持ブラケット３をそれぞれ取付けるとともに、この左右の支持ブラケット３，３を介して、前記間仕切パネル２，２間に天板４を架設してなる構成を有する。
なお、ワークステーション装置１における左右の間仕切パネル２，２間の後面には、幕板１Ａが設けられている。
【００２４】
間仕切パネル２の上端には、図２および図３に示すように、前後方向に沿って支持レール５が取付けられている。
この支持レール５は、左右方向の両側面に１対の係止溝６，６が前後方向に沿って設けられている。
【００２５】
係止溝６は、他方の間仕切パネル２の対向面２ａに向けて開口し、その開口縁部６ａに、上下方向に対向する内向き突縁７，７を形成することにより、蟻溝状、すなわち奥部が幅広な溝状の形態を有する。
この係止溝６内には、前記支持ブラケット３を間仕切パネル２の対向面２ａに締結状態で固定するためのねじ座８が配設されている。
【００２６】
ねじ座８は、図２に示すように、垂直の基片８ａと、この基片８ａの上部両側より後部上方に延出する１対の側片８ｂ，８ｂとより形成されているとともに、前記基片８ａには、ねじ孔９が設けられている。
すなわち、ねじ座８は、その両側片８ｂ，８ｂが係合溝６の上部対向突起７の背面に当接状態で嵌入されることにより、係合溝６内に前後方向に摺動自在に配設されるようになっている。
【００２７】
支持ブラケット３は、図４に示すように、前記天板４における左右方向の下端面４ａが載置状態で支持される支持面板１０と、この支持面板１０の内側面に溶接等により固着される補強面板１１とより構成されている。
前記支持面板１０は、左右方向に所定の幅をもって前後方向に延びる水平な内向き支持片１０ａと、この内向き支持片１０ａの左右方向の外側端縁からＬ字状に下方に向けて延びる垂直な立上片１０ｂと、この立上片１０ｂの下端縁部に左右方向の外方に向けて突出させた正面視断面コ字状の外向き取付片１０ｃとより形成されている。
【００２８】
支持面板１０における外向き取付片１０ｃの外側面には、左右方向の内方に向けて凹設した凹陥面部１２と、左右方向の外方に向けて突設した切起片１３とが前後方向に複数配設されているとともに、前記凹陥面部１２には、挿通孔１４が設けられている。
この挿通孔１４は、前記間仕切パネル２の係合溝９に、ねじ座８を介して、支持ブラケット３を組付ける際に、前記ねじ座８の基片８ａに設けたねじ孔９に整合しうるようになっている。
【００２９】
前記補強面板１１は、支持面板１０の立上片１０ｂと外向き取付片１０ｃとの間における内側面の上下に跨って固着されるとともに、前記支持面板１０に組付けた際に、外向き取付片１０ｃの凹陥面部１２に設けた挿通孔１４と整合する位置には、通孔１５が設けられている。
補強面板１１の下端縁１１ａは、前記支持面板１０における外向き取付片１０ｃの下面に向けて屈曲させてある。
これにより、支持面板１０と補強面板１１とを組付ける際に、支持面板１０の下部を、補強面板１１の下端縁１１ａをもって仮保持可能になっている。
【００３０】
支持面板１０における内向き支持片１０ａの上面には、前後方向に長孔状の通孔１６が設けられており、この通孔１６には、前記天板４の載置状態において、天板４の下端面４ａに埋設したねじ座１７のねじ孔１７ａが整合しうるようになっている。
【００３１】
なお、図５に示すように、支持面板１０の外向き取付片１０ｃにおける上下幅寸法Ｔ１は、間仕切パネル２に設けた係合溝６の開口縁部６ａにおける上下両突縁７，７間の間隔Ｔ２より大きくなっているとともに、外向き取付片１０ｃの外側面に突設した切起片１３は、前記上下両突縁７，７間に嵌入可能な上下幅寸法にしてある。
【００３２】
図３に示すように、支持ブラケット３の前方位置には、支持ブラケット３と接続しうるように案内部材１８が配設されている。
この案内部材１８は、図４に示すように、左右方向の内側に面する内側面が、前端から後方に向うにしたがって、漸次、前記間仕切パネル２の対向面２ａから離間するように傾斜面１９ａに形成された、平面視ほぼ楔状の案内基部１９と、この案内基部１９の後端から後方に向けて突出させた嵌入部２０とにより形成されている。
この嵌入部２０は、支持面板１０の下端部に形成した外向き取付片１０ｃのコ字状空間に前方から嵌入されるようになっている。
【００３３】
案内基部１９の外側面１９ｂには、支持ブラケット３における支持面板１０の下端部を前方に延出した前向き取付片１０ｄが嵌合される嵌合溝２１と、この嵌合溝２１に設けたねじ穴２２と、前記嵌合溝２１に嵌合される前向き取付片１０ｄの前端が係止される係止爪２３とを有する。
嵌合溝２１に設けたねじ穴２２は、前向き取付片１０ｄに設けた通孔２４と整合しうるようになっている。
【００３４】
前記嵌入部２０の外側面２０ａには、逆止爪状の係止突起２５が突設されている。
この係止突起２５は、支持面板１０の前向き取付片１０ｄに設けた係止孔２６に係合しうるようになっている。
【００３５】
案内部材１８における案内基部１９の傾斜面１９ａは、間仕切パネル２の対向面２ａからの最大離間寸法Ａを、支持ブラケット３における間仕切パネル２への取付部が、間仕切パネル２の対向面２ａから左右方向の内方に向けて突出されて、支持ブラケット３の内面３ａに至る寸法Ｂ以上の大きさ（Ｂ≦Ａ）としてある。
この場合、支持ブラケット３の内面３ａが間仕切パネル２の対向面２ａから突出する寸法Ｂは、支持面板１０における立上片１０ｂの外側面から外方に突出する外向き取付片１０ｃの左右方向の幅と補強面板１１の左右方向の幅（厚さ）の和に応じた寸法となる。
【００３６】
次に、本発明に係るワークステーション装置１の組立て手順を説明する。
間仕切パネル２，２間に天板４を架設するには、間仕切パネル２の対向面２ａに支持ブラケット３が、それぞれ組付けられる。
【００３７】
この支持ブラケット３の間仕切パネル２の対向面２ａへの組付けは、まず、支持ブラケット３における支持面板１０の下端部を前方に延出した前向き取付片１０ｄに、案内部材１８を取付ける。
【００３８】
この案内部材１８の取付けは、支持ブラケット３における支持面板１０の前向き取付片１０ｄに、案内基部１９の嵌合溝２１を嵌合させて、後方に向けて押込むようにしながら、嵌入部２０を支持面板１０の外向き取付片１０ｃのコ字状空間に向けて嵌入させ、この嵌入部２０の係止突起２５を、前向き取付片１０ｄに設けた係止孔２６に係合させるとともに、案内基部１９の係止爪２３に、前記前向き取付片１０ｄの前端が係止されるように組付けた後、取付ねじ２７を、前向き取付片１０ｄに設けた通孔２４を通して、案内基部１９の嵌合溝２１に設けたねじ穴２２に螺合させることにより、支持ブラケット３に案内部材１８を取付ける。
【００３９】
間仕切パネル２の対向面２ａに設けた係合溝６内にねじ座８を配設した後、支持ブラケット３の外向き取付片１０ｃの外側面に突設した切起片１３を、係合溝６の開口縁部６ａに係合させることにより、間仕切パネル２の対向面２ａに支持ブラケット３を仮保持させる。
【００４０】
次いで、支持ブラケット３を、支持面板１０における外向き取付片１０ｃに設けた挿通孔１４と、係合溝６内に配設されたねじ座８のねじ孔９とが整合しうるように、ねじ座８と共に前後方向に摺動調整することにより、間仕切パネル２の対向面２ａに位置決めする。
この位置決め後、取付ねじ２８を、その頭部２８ａが補強面板１１の通孔１５を貫通しうるように挿通して、外向き取付片１０ｃの挿通孔１４を通して、ねじ座８のねじ孔９に向けて挿入し、ねじ座８のねじ孔９に螺合させる。
これにより、係合溝６の上部の内向き突縁７を、支持ブラケット３における外向き取付片１０ｃの外側面とねじ座８の両側片８ｂ，８ｂとより挟持しうるようにして、間仕切パネル２の対向面２ａに支持ブラケット３を取付ける。
【００４１】
次いで、支持ブラケット３が組付けられた間仕切パネル２を、床面上に、左右に離間して平行に立設するとともに、左右の支持ブラケット３，３間における支持面板１０の内向き支持片１０ａ上に天板４の下端面４ａを載置し、かつ天板４の下端面４ａに埋設したねじ座１７のねじ孔１７ａと内向き支持片１０ａに設けた長孔状の通孔１６とを整合させた後、取付ねじ２９を、内向き支持片１０ａの下方から通孔１６を通して前記ねじ孔１７ａに向けて螺合させることにより、左右の間仕切パネル２，２間に、支持ブラケット３を介して、天板４を架設するようになっている。
【００４２】
上記の構成によれば、図３に示すように、ワークステーション装置１における天板４の下方空間に、ワゴンＷを収容する場合に、ワゴンＷが、案内部材１８の傾斜面１９ａによって、間仕切パネル２に取付けた天板４の支持ブラケット３から離間する方向に案内され、支持ブラケット３との衝突を回避することができる。
そのため、ワゴンＷを出入れする場合に、ワークステーション装置１における天板４の下方空間に、ワゴンＷを円滑に出し入れすることができるとともに、支持ブラケット３またはワゴンＷのいずれかを損傷または破損させることがない。
【００４３】
図６は、本発明における第２実施形態の案内部材を用いた要部拡大横断平面図、図７は、同じく、支持ブラケットによるパネル体と天板及び案内部材の組付状態を示す分解斜視図である。
なお、図示の実施形態においては、前記第１実施形態と構成が重複する部分は同一符号を用い、その詳細な説明は省略する。
【実施例２】
【００４４】
本実施形態では、前記第１実施形態で説明したように、支持ブラケット３の内面３ａに取付けられる案内部材１８の形状および取付構造に相違点がある。
【００４５】
図６および図７に示すように、本実施形態の案内部材３０は、支持ブラケット３の前方に離間して、間仕切パネル２の係止溝６に、複数のねじ座８をもって取付けられている。
【００４６】
案内部材３０は、案内基部３１と、この案内基部３１の外側端縁から下方に段付き状態で延出させた取付部３２とより形成されている。
【００４７】
案内基部３１は、平面視において、左右方向における内向きの外輪部３１ａが緩やかなほぼ弧状をなすように、その前端から後方に向うにしたがって、漸次、間仕切パネル２の対向面２ａから離間する弧状面３３を備える。
取付部３２には、間仕切パネル２の係止溝６に配設された複数のねじ座８のねじ孔９に整合しうるように対応する複数の通孔３４が設けられている。
すなわち、取付ねじ３５を、各通孔３４を通して、ねじ座８のねじ孔９に向けて挿入し、ねじ座８のねじ孔９に螺合させることにより、間仕切パネル２の係止溝６に案内部材３０が取付けられるようになっている。
【００４８】
なお、本実施形態では、間仕切パネル２の対向面２ａに支持ブラケット３を取付ける場合、取付ねじ２８は、前記第１実施形態のように、補強面板１１に設けた通孔１５を貫通させずに挿通させて、支持ブラケット３の内面３ａから左右方向の外方に向けて、支持面板１０における外向き取付片１０ｃの凹陥部１２に設けた挿通孔１４を通して、係合溝６内に配設されたねじ座８のねじ孔９に螺合しうるようになっている。
そのため、取付ねじ２８の頭部２８ａは、補強面板１１の通孔１５に係止し、支持ブラケット３の内面３ａに露出させてある。
【００４９】
したがって、本実施形態では、案内部材３０の弧状面３３における間仕切パネル２の対向面２ａからの最大離間寸法Ａを、前記した支持ブラケット３における間仕切パネル２への取付部が、間仕切パネル２の対向面２ａから左右方向の内方に向けて突出する寸法Ｂと、取付ねじ２８の頭部２８ａが支持ブラケット３の内面３ａから左右方向の内方に向けて突出する寸法Ｂ１との和以上（［Ｂ＋Ｂ１］≦Ａ）の大きさとしてある。
【００５０】
上記の構成によれば、図６に示すように、ワークステーション装置１における天板４の下方空間に、ワゴンＷを収容する場合に、ワゴンＷが、案内部材３０の弧状面３３によって、間仕切パネル２に取付けた天板４の支持ブラケット３から離間する方向に案内され、支持ブラケット３との衝突を回避することができる。
【符号の説明】
【００５１】
１    ワークステーション装置
１Ａ  幕板
２    間仕切パネル（パネル体）
２ａ  対向面
３    支持ブラケット
３ａ  内面
４    天板
４ａ  下端面
５    支持レール
６    係止溝
６ａ  開口縁部
７    内向き突縁
８    ねじ座
８ａ  基片
８ｂ  側片
９    ねじ孔
１０  支持面板
１０ａ  内向き支持片
１０ｂ  立上片
１０ｃ  外向き取付片
１０ｄ  前向き取付片
１１  補強面板
１２  凹陥面部
１３  切起片
１４  挿通孔
１５  通孔
１６  通孔
１７  ねじ座
１７ａ  ねじ孔
１８  案内部材
１９  案内基部
１９ａ  傾斜面（内側面）
１９ｂ  外側面
２０  嵌入部
２０ａ  外側面
２１  嵌合溝
２２  ねじ穴
２３  係止爪
２４  通孔
２５  係止突起
２６  係止孔
２７  取付ねじ
２８  取付ねじ
２９  取付ねじ
３０  案内部材
３１  案内基部
３１ａ  外輪部
３２  取付部
３３  弧状面
３４  通孔
３５  取付ねじ
Ｗ    ワゴン
【図１】
0005394898.tif 000002
【図２】
0005394898.tif 000003
【図３】
0005394898.tif 000004
【図４】
0005394898.tif 000005
【図５】
0005394898.tif 000006
【図６】
0005394898.tif 000007
【図７】
0005394898.tif 000008